(57)【要約】【課題】携帯電話機を用いた懸賞ゲームにおいて、非当選の場合には、リアルタイムの短時間で非当選であることを報知し、当選の場合には、景品在庫の過不足を生じがたく制御する。【解決手段】外部からの着信に関連して携帯電話機内部の記憶手段に記憶された確率テーブルに基づいて抽選を実行する機能と、前記抽選結果が一次当選であった場合には、予め前記記憶手段に記憶されたアドレスのサーバに自動接続する機能と、接続した前記サーバが前記一次当選に関連して本抽選処理を実行した結果その抽選結果が当選であった場合に、その当選データを受信する機能と、前記サーバから受信された当選データに基づいて前記携帯電話機の表示手段に当選を報知する画像を表示する機能とをコンピュータにより実現させるための抽選ゲーム制御プログラム。【選択図】　　　　　図５
2004129213.tif 000002
【特許請求の範囲】
【請求項１】
外部からの着信に関連して携帯電話機内部の記憶手段に記憶された確率テーブルに基づいて抽選を実行する機能と、
前記抽選結果が一次当選であった場合には、予め前記記憶手段に記憶されたアドレスのサーバに自動接続する機能と、
接続した前記サーバが前記一次当選に関連して本抽選処理を実行した結果その抽選結果が当選であった場合に、その当選データを受信する機能と、
前記サーバから受信された当選データに基づいて前記携帯電話機の表示手段に当選を報知する画像を表示する機能とをコンピュータにより実現させるための抽選ゲーム制御プログラム。
【請求項２】
着信と同時又は着信後に終話入力がなされた時点から、所定の時間の間、前記携帯電話機の記憶手段に記憶された通常宣伝画像を読み出し、当該通常宣伝画像を前記表示手段に表示する機能と、
前記所定の時間が経過するまでに、前記サーバから当選データが受信された場合には、前記通常宣伝画像から連続した発展画像を前記表示手段に表示する機能とをコンピュータにより実現させるための請求項１に記載の抽選ゲーム制御プログラム。
【請求項３】
請求項１及び２の抽選ゲームプログラムを記憶し、複数の携帯電話機に対して配信可能なサーバ。
【請求項４】
請求項１及び２の抽選ゲームプログラムを記憶する記憶手段を備えた携帯電話機。
【請求項５】
外部からの着信に応じて通話状態となり終話入力がなされることによって、携帯電話機内で抽選された抽選結果が一次当選であった場合に、当該一次当選データが前記携帯電話機から受信され、この一次当選データを契機として内部的に本抽選を実行して、前記携帯電話機の表示手段に表示される通常画面表示から発展画面表示に続き表示される当選画像データを前記携帯電話機に送信可能なサービス提供サーバに記憶されるプログラムであって、
前記携帯電話機に対して、当該携帯電話機からの複数のエントリー可能な抽選ゲームから所望のエントリー抽選ゲームを選択する入力信号に応じて、制御手段が、選択された抽選ゲームプログラムを送信するとともに、他の携帯電話機と識別可能とするためのＩＤデータを割当送信する機能と、
前記一次当選データが携帯電話機から受信された場合に、当該一次当選データと共に受信されるＩＤデータに基づいて、真性に前記抽選ゲームプログラムをダウンロードした携帯電話機であるか否かを前記制御手段に判定させる機能と、
前記一次当選データを受信した携帯電話機が真性なダウンロード先であることを判定された場合には、前記一次当選データに対応する景品在庫データを参照し、景品在庫が存在する場合には、所定の確率で本抽選処理を実行する一方、在庫がない場合には、ハズレ処理を前記制御手段に実行させる機能と、
前記本抽選処理の結果が当選であった場合には、当選画像データを生成して、前記制御手段から前記携帯電話機へ当該当選画像データを送信する機能とをコンピュータに実現させるためのプログラム。
【請求項６】
外部からの着信に応じて通話状態となり終話入力がなされることによって、携帯電話機内で抽選された抽選結果が一次当選であった場合に、当該一次当選データが前記携帯電話機から受信され、この一次当選データを契機として内部的に本抽選を実行して、前記携帯電話機の表示手段に表示される通常画面表示から発展画面表示に続き表示される当選画像データを前記携帯電話機に送信可能なサービス提供サーバおけるサービス提供方法であって、
前記携帯電話機に対して、当該携帯電話機からの複数のエントリー可能な抽選ゲームから所望のエントリー抽選ゲームを選択する入力信号に応じて、選択された抽選ゲームプログラムを送信するとともに、他の携帯電話機と識別可能とするためのＩＤデータを割当送信する段階と、
前記一次当選データが携帯電話機から受信された場合に、当該一次当選データと共に受信されるＩＤデータに基づいて、真性に前記抽選ゲームプログラムをダウンロードした携帯電話機であるか否かを判定する段階と、
前記一次当選データを受信した携帯電話機が真性なダウンロード先であることを判定された場合には、前記一次当選データに対応する景品在庫データを参照し、景品在庫が存在する場合には、所定の確率で本抽選処理を実行する一方、在庫がない場合には、ハズレ処理を実行する機能と、
前記本抽選処理の結果が当選であった場合には、当選画像データを生成して、前記携帯電話機へ当該当選画像データを送信する段階とを含むサービス提供方法。
【発明の詳細な説明】
【０００１】
【発明の属する技術分野】
この発明は、携帯電話機の電話機機能と懸賞などの抽選ゲームとを連携させて、着信を契機として抽選結果が表示される抽選ゲーム制御プログラム、当該ゲーム制御プログラムを配信するサーバ、サービス提供サーバ、サービス提供方法に関する。
【０００２】
【従来の技術】
従来この種の技術としては、特開２００３−７８５９１号公報（特許文献１）が知られている。
【０００３】
このものは、本願出願人によって平成１３年１０月１２日に特許出願されたものであり、その公報に記載されているように、携帯電話機への他の電話機から着信があり通話終了入力に応じて抽選ゲームプログラムによる抽選結果が携帯電話機の表示手段に表示されるように構成されているものである。
【０００４】
また、上記技術より以前に知られる懸賞ゲームとしては、ＷＥＢサーバに対して携帯電話機などの通信端末を介して、当該通信端末の操作入力によって懸賞ゲームにある定められた期間内にエントリーし、このエントリーされた複数のエントリー者の中から抽選によって景品が当たるといったものも知られている。このような技術では、その場で当選とならないことや、その都度エントリを行う作業を行わないと当選の機会が与えられないといった問題が発生するものの、予め用意された景品数を超えて当選するといった虞はないものであった。
【０００５】
【特許文献１】
特開２００３−７８５９１号公報
【０００６】
【発明が解決しようとする課題】
上記従来の特開２００３−７８５９１号公報の技術では、従来のように当選したかどうかが判るまで時間がかかってしまう問題や、自らの努力でなく、他の人から電話がかかってこないと抽選されず、自分だけの意思で抽選参加できないといった新たな面白さを提供できるものの、各々の携帯電話機内で当選かハズレかが定まるため、抽選ゲームに対して予め用意された景品に応じた確率値で当選するように設定していても、予め用意された景品数を超えて当選してしまうといった特有の課題が生じてしまう。そして、前記公報の段落番号「００９３」には、「ゲーム結果を判定する前に、インターネット網を通じてセンターとの通信を実行してキャンペーン在庫の確認を行い、この在庫確認結果に応じて、ゲームのキャンペーン期間が終了したか否かを判定する構成とするのが好ましい」との記載からも明らかなように、在庫管理の問題提起はなされている。しかしながら、このように、携帯電話機内だけの抽選で当選を確定させるのではなく、センタとの通信の結果で当選を確定する場合には、着信から当選確定の報知をするまでの時間が長くなってしまうといった新たな問題が発生することを本願発明者は見出した。
【０００７】
この発明では、上述したように、携帯電話機内の抽選で当選又は非当選をリアルタイムで使用者に告知する環境を維持しつつ、予め用意された景品数を超えて当選しないように可及的に制御可能な抽選ゲーム制御プログラム、当該ゲーム制御プログラムを配信するサーバ、サービス提供サーバ、サービス提供方法を提供することを目的としている。
【０００８】
【課題を解決するための手段】
以上のような課題に鑑み、本発明者は、携帯電話機内部で着信に応じて抽選ゲームを実行し、その抽選結果が一次当選であった場合に、広域通信回線網を通じて景品提供のためのサービス提供サーバに接続し、当該サーバ内で最終当選をしても良いかを判定させて、最終当選させて良いと判定された場合に、当選したことを携帯電話機の表示手段に表示させるように構成することを特徴とするサービス提供システムを考えた。
【０００９】
ところが、このように内部抽選で一時当選となってから本抽選をなすべくサーバに接続するように構成した場合に、着信を契機として抽選ゲームが実行されて最終的に当選かどうかが判るまでに、内部抽選に関わる通常画像演出と接続時間などを合算して１分程度の長い時間を要してしまうといった問題を見出し、この点に関しても使用者に対して違和感がなく、その抽選結果が表示されるまでの間、退屈感を与えることなく待ってもらえるような表示演出が必要であると考えた。上記通常画像演出は、その演出自体に宣伝効果をもたすことを目的とする場合には、通常演出時間を極端に短くすることができないことも予想できる問題である。
【００１０】
この問題を解決するために、前記一次当たりまでの通常抽選画像データと、一次当選が内部的に成立した時に、前記通常抽選画像データに続けて連続した映像として表示するための発展画像データとを予め携帯電話機の記憶手段に記憶させておき、使用者に対して当選しそうであることを表示手段を用いて画像表示演出で表現することによって、使用者の期待感を煽ることにより時間が長くなる問題を低減できるようにしている。
【００１１】
すなわち、より具体的には、以下の発明を提供する。
（１）　外部からの着信に関連して携帯電話機内部の記憶手段に記憶された確率テーブルに基づいて抽選を実行する機能と、
前記抽選結果が一次当選であった場合には、予め前記記憶手段に記憶されたアドレスのサーバに自動接続する機能と、
接続した前記サーバが前記一次当選に関連して本抽選処理を実行した結果その抽選結果が当選であった場合に、その当選データを受信する機能と、
前記サーバから受信された当選データに基づいて前記携帯電話機の表示手段に当選を報知する画像を表示する機能とをコンピュータにより実現させるための抽選ゲーム制御プログラム。
【００１２】
（２）　着信と同時又は着信後に終話入力がなされた時点から、所定の時間の間、前記携帯電話機の記憶手段に記憶された通常宣伝画像を読み出し、当該通常宣伝画像を前記表示手段に表示する機能と、
前記所定の時間が経過するまでに、前記サーバから当選データが受信された場合には、前記通常宣伝画像から連続した発展画像を前記表示手段に表示する機能とをコンピュータにより実行可能な上記（１）に記載の抽選ゲーム制御プログラム。
【００１３】
（３）　上記（１）及び（２）の抽選ゲームプログラムを記憶し、複数の携帯電話機に対して配信可能なサーバ。
【００１４】
（４）　上記（１）及び（２）の抽選ゲームプログラムを記憶する記憶手段を備えた携帯電話機。
【００１５】
（５）　外部からの着信に応じて通話状態となり終話入力がなされることによって、携帯電話機内で抽選された抽選結果が一次当選であった場合に、当該一次当選データが前記携帯電話機から受信され、この一次当選データを契機として内部的に本抽選を実行して、前記携帯電話機の表示手段に表示される通常画面表示から発展画面表示に続き表示される当選画像データを前記携帯電話機に送信可能なサービス提供サーバに記憶されるプログラムであって、
前記携帯電話機に対して、当該携帯電話機からの複数のエントリー可能な抽選ゲームから所望のエントリー抽選ゲームを選択する入力信号に応じて、制御手段が、選択された抽選ゲームプログラムを送信するとともに、他の携帯電話機と識別可能とするためのＩＤデータを割当送信する機能と、
前記一次当選データが携帯電話機から受信された場合に、当該一次当選データと共に受信されるＩＤデータに基づいて、真性に前記抽選ゲームプログラムをダウンロードした携帯電話機であるか否かを前記制御手段に判定させる機能と、
前記一次当選データを受信した携帯電話機が真性なダウンロード先であることを判定された場合には、前記一次当選データに対応する景品在庫データを参照し、景品在庫が存在する場合には、所定の確率で本抽選処理を実行する一方、在庫がない場合には、ハズレ処理を前記制御手段に実行させる機能と、
前記本抽選処理の結果が当選であった場合には、当選画像データを生成して、前記制御手段から前記携帯電話機へ当該当選画像データを送信する機能とをコンピュータに実現させるためのプログラム。
【００１６】
（６）　外部からの着信に応じて通話状態となり終話入力がなされることによって、携帯電話機内で抽選された抽選結果が一次当選であった場合に、当該一次当選データが前記携帯電話機から受信され、この一次当選データを契機として内部的に本抽選を実行して、前記携帯電話機の表示手段に表示される通常画面表示から発展画面表示に続き表示される当選画像データを前記携帯電話機に送信可能なサービス提供サーバおけるサービス提供方法であって、
前記携帯電話機に対して、当該携帯電話機からの複数のエントリー可能な抽選ゲームから所望のエントリー抽選ゲームを選択する入力信号に応じて、選択された抽選ゲームプログラムを送信するとともに、他の携帯電話機と識別可能とするためのＩＤデータを割当送信する段階と、
前記一次当選データが携帯電話機から受信された場合に、当該一次当選データと共に受信されるＩＤデータに基づいて、真性に前記抽選ゲームプログラムをダウンロードした携帯電話機であるか否かを判定する段階と、
前記一次当選データを受信した携帯電話機が真性なダウンロード先であることを判定された場合には、前記一次当選データに対応する景品在庫データを参照し、景品在庫が存在する場合には、所定の確率で本抽選処理を実行する一方、在庫がない場合には、ハズレ処理を実行する機能と、
前記本抽選処理の結果が当選であった場合には、当選画像データを生成して、前記携帯電話機へ当該当選画像データを送信する段階とを含むサービス提供方法。
【００１７】
上記（１）〜（６）の発明によれば、携帯電話機を使ってリアルタイムに抽選結果を使用者に視覚的に報知することができるとともに、携帯電話機で一次抽選を行い、その結果に応じてサーバに接続するようにしているから、当該携帯電話機に使用者に接続料金の負担を低減することができる。しかも、実際の当選は、サーバで決定されることになるから、例えば、サーバ内で管理される在庫景品数を考慮して本抽選で当てるか否かを決定したり、当てる景品の種類を決定するなどの抽選のサービスを提供する上での運営自由度が高まる効果がある。
【００１８】
また、（２）〜（６）の発明によれば、一次当選したことを契機としてサーバに接続され、当該サーバ内で２次抽選（本抽選）が実行されることによって新たに発生する長時間化の問題を、一次抽選時には、所定の時間の間、通常演出画像（宣伝画像を含む場合もある）を表示し、サーバと接続するために長時間化する時間に前記通常演出画像から連続再生される発展画像を表示させることによって、当たる可能性があることを携帯電話機に使用者に報知することによって、退屈となる可能性を低減するようにしている。この構成は、パチンコなどのリーチ演出と類似するが、そもそもパチンコでは接続することに長時間化するといった問題が生じ得ないので、長時間化により新たに発生する問題を解消できるといった効果が見込めないものであり、当選データを携帯電話機の表示手段で表示させることが可能となり、前記当選データを前記表示手段に表示させるまでの間だけ発展画像を表示させるといった構成の点でも相違点を有するものである。
【００１９】
加えて、（５）、（６）の発明では、携帯電話機の内部で一次抽選を実行するための抽選ゲームプログラムのダンロード時に、当該ダウンロード元のサーバにが携帯電話機ごとにＩＤコードを割当（生成を含む）、このＩＤコードを利用して真性に抽選ゲームがダウンロードされたものかどうかを決定することにしているから、抽選ゲームプログラムのダウンロード時に氏名や住所或いは携帯電話機番号などの他の携帯電話機の使用者との識別情報を入力させることなく、誰でも簡単にゲームに参加できるといった環境を提供することができる。そして、例えば、景品が当選した段階で、発送などに必要な情報を入力させるようにすれば、景品が得られるかどうかが不明確である段階での入力に比べて前記使用者が苦を感じることが少なく入力させることが可能となるといった効果がある。
【００２０】
【発明の実施の形態】
以下、図に沿って、この発明を携帯電話機及び当該携帯電話機で接続可能なサーバに適用した一例としての実施の形態について説明する。
【００２１】
図１に示すのは、この発明を適用するシステム構成図であり、図において、１はサービス提供サーバであり、当該サービス提供サーバ１は、広域通信回線網としてのインターネット網１０及び基地局１１を介して携帯電話機２０とデータの送受信可能なように構成されている。
【００２２】
前記携帯電話機２０は、他の携帯電話機２０との間で、前記基地局１１を介して通話やメールの交換が可能であり、且つ、基地局１１を介して接続可能なインターネット網を通じて、当該インターネット網に接続されているサーバに対して接続可能に構成されている。より具体的には、前記サービス提供サーバ１内には、内部の記憶手段（内部メモリ、又は、内部ハードディスクなど）に予め記憶された本抽選ゲームプログラム（二次抽選ゲームプログラム）を具備し、この本抽選ゲームプログラムに基づいて進行する抽選ゲームに対して、携帯電話機２０から受信した前記抽選ゲームの一次抽選データを受けてサーバ１は在庫確認の上、どの景品が当ったかを通知するようにしている。この本抽選ゲームプログラムによるゲームは、複数の携帯電話機２０による同じ時間軸での抽選ゲームとして実行され、前記携帯電話機２０の複数の使用者間で競い合って有限数だけ提供されることを宣言された景品を奪い合うといった環境に設定されている。つまり、前記同じ時間軸とは、複数の携帯電話機２０内で実行される一次抽選ゲームプログラムによる一次抽選結果が当選の場合に、当該一次抽選結果としての一次抽選データをサーバ１に送信することによって、初めてサーバ１内での二次抽選ゲームに参加できるように設定されており、この二次抽選ゲームでは、有限数の景品在庫を確認しつつ、サーバ１の制御手段２が抽選確率を調整するか、在庫がない場合には、抽選を実行しないでハズレ又は「所定景品数が終了しました」との通知を実行するようにしているから、携帯電話機２０を用いてこの抽選ゲームに参加する使用者は、可及的に在庫のある間に、携帯電話機２０の内部当選（一次当選）しサーバ１内での二次抽選ゲームで更に当選となることを競い合う時限的且つ景品制限的の２つの要素を有する抽選ゲームとなっている。
【００２３】
携帯電話機２０内にダウンロードされた一次抽選ゲームプログラムには、その一次抽選ゲームプログラム自体に確率データが組み込まれており、その確率に基づいて、一次抽選ゲームプログラムのゲーム結果として得られる一次抽選結果を、前記携帯電話機２０の着信と終話の入力に応じて、一次非当選であった場合には直ちに、一次当選であった場合には、サーバ１内での２次抽選結果を受信した後に、前記表示手段２２に抽選結果が表示されるように制御するようにしている。
【００２４】
このように携帯電話機２０内での抽選とサーバ内での抽選との２段階抽選を採用しているのは、以下の（１）から（３）の理由が要因となっている。すなわち、（１）リアルタイムに当たり（当選）かハズレ（非当選）かを携帯電話機２０の使用者である抽選ゲームの参加者に告知することを目的としていることから、携帯電話機２０内で一次抽選ゲームを実行し、この一次抽選の段階で非当選になった場合には直ちに携帯電話機２０の表示手段２２に表示されるようにしてリアルタイム抽選化を狙った結果である。
【００２５】
そして、（２）景品在庫が十分存在する通常抽選状態において、一次抽選ゲームでの当選確率よりも２次抽選ゲームでの抽選確率を２倍以上小さくし、二次抽選に至った抽選状態では、殆どが何らかの景品が当たる当選を得れるように抽選確率が一次抽選確率＞二次抽選確率となるように設定している。こらは、一次抽選状態から二次抽選状態に以降する段階で、携帯電話機２０の使用者には、サーバ１への通信料金が課金されることと、抽選結果が最終的に決定されるまでに時間がかかってしまうことから、時間がかかった場合にはできるだけ当選するように設定して、携帯電話機２０の使用者を必要以上に憤慨させないようにするための配慮である。
【００２６】
さらに、（３）表示手段２２に表示される表示演出が所定時間の間、通常動画表示が表示され、この通常動画表示の表示から所定時間経過後であってサーバ１と接続する段階では、前記通常動画表示に連続して発展動画表示が表示されるようになっており、通常動画表示から発展動画表示が表示される合計時間が長時間となってしまうが、画像が発展することによって所謂パチンコ遊技機におけるスーパリーチの演出のようなものになり、携帯電話機２０の使用者を飽きさせ難いといった利点を有する。
【００２７】
勿論、サーバ１内の二次抽選ゲームプログラムの当選確率は、予め複数の当選確率の異なる確率テーブル（無当選確率テーブルを含む）を記憶手段（後述する記憶部４）に記憶しておき、予め用意された景品種類ごとの在庫数状況に応じて、前記確率テーブルを適宜変更して、前記抽選ゲームの実行期間の間、景品在庫を残すように在庫調整をしつつ最終的な景品数に終焉させるように制御手段２が制御するようにしている。
【００２８】
一方、携帯電話機２０内にサーバ１からのダウンロードによって記憶された一次抽選ゲームプログラムの抽選確率テーブルのデータのみを、対象となる景品の本数に応じて頻繁に変更できるよう構成することも考えられる。
【００２９】
図２に示すのは、前記携帯電話機２０のハード構成図であり、この携帯電話機２０は、制御手段２１を含んでおり、当該制御手段２１には、前記抽選ゲームの抽選結果が表示可能な表示手段２２と、アンテナなどの送受信手段２３と、電話番号や電子メールの文字入力を前記携帯電話機２０の使用者が行うための入力手段２４と、システムプログラムなどが予め記憶されたＲＯＭ２５と、前記一次抽選ゲームを行うための一次抽選ゲームプログラムや、着信又は発信した他の携帯電話機や常設電話などの電話番号などを記憶し、前記記憶した抽選ゲームプログラムや電話番号を前記使用者の入力手段２４の操作によって記憶又は消去することが可能な記憶手段としてのＲＡＭ２６とが接続されている。
【００３０】
また、ＲＡＭ２６に記憶される一次抽選ゲームプログラムは、この実施の形態ではサーバ１から全てダウンロードにより記憶されるようにしているがこれに限らず、予め携帯電話機２０のＲＯＭ２５やＲＡＭ２６の一部の領域にプレインストールするように構成しても良い。
【００３１】
前記一次抽選ゲームプログラムには、確率テーブルと、当該確率テーブルに基づいて抽選処理を行う一次抽選プログラム、表示手段２２に対して表示するための画像データとしての通常動画表示データ及び発展動画表示データ、前記両動画データを連続して再生するためのゲーム表示プログラム、前記一次抽選プログラムによって一次当選となった場合に予め定められたサーバ１に対して送信するための一次当選データを生成する一次抽選データ生成プログラム、並びに、前記一次当選データをサーバ１に自動的接続して送信するための自動接続送信プログラムとが含まれている。
【００３２】
また、前記通常動画表示データには、景品を提供するスポンサーの宣伝情報も含まれており、この宣伝情報とは、抽選中を演出する通常動画表示や発展動画表示の画像生成パーツとして、前記スポンサーのキャンペーン製品の映像や商標或いはキャンペーン音楽情報などがこれに相当する。
【００３３】
前記表示手段２２としては、最近の携帯電話機２０において、開閉型の携帯電話機が多く広まっているが、この開閉型携帯電話機には開いた状態で表示可能なメイン表示手段と、締めた状態で携帯電話機の外表面で表示可能なサブ表示手段とが設けられており、前記サブ表示手段に前記一次抽選結果の非当選報知やサーバ１内での二次抽選結果の非当選又は当選表示を行うようにすれば、抽選時の演出表示時間が長くなっても使用者に負担とならないように働くと考えられる。
、
前記表示手段２２としては、省電の目的から一般的に携帯電話機２０に使用される液晶表示装置を採用している。また、前記入力手段２４としては、ボタンの表面にアルファベットや数字が標印されメールを作成したり、会話をしたい相手も電話番号を入力するためのキーボタンスイッチ２４Ａと、各種の機能を選択するための多方向スイッチ２４Ｂ、前記抽選の抽選結果データを送信するための専用のゲーム結果送信スイッチ２４Ｃを設けている。前記ゲーム結果送信スイッチ２４Ｃは必須のものではなく、前記キーボタンスイッチ２４Ａや多方向スイッチ２４Ｂを使用して前記ゲーム結果としての抽選結果データをサーバ１に送信するように構成しても良い。
【００３４】
なお、ＪＡＶＡ（登録商標）を搭載した携帯電話機２０においては、通常の電話はオペレーティングシステム及びネイティブソフトウエア（ブラウザ、ネットワーキングコンポーネント、Ｐｈｏｎｅ　Ｄｉａｌｅｒ等）を使用して行われる。これに対して、Ｊａｖａ　Ａｐｐｌｉｃａｔｉｏｎ　Ｍａｎａｇｅｒ（ＪＡＭ）により、ＲＯＭ２５又はＲＡＭ２６に格納されている個々のＪＡＶＡ（登録商標）アプリケーション（ゲームプログラム等）の管理が行われるようになされている。
【００３５】
図３に示すのは、前記サーバ１のハードブロック図である。このサーバ１は、制御手段２と、当該制御手段２には、前記インターネット網１０と接続し電子データの送受信を行うための通信インターフェース３と、携帯電話機２０にダウンロードさせるべき複数の前記一次抽選ゲームプログラムや広告宣伝情報がスポンサーごとに記憶されたスポンサーデータベース６と、携帯電話機２０に対して割当てたＩＤデータや当該携帯電話機２０から受信した一次抽選データ、着信先データとを各々の携帯電話機２０に割当てたＩＤデータに関連付けて累積的に記憶するユーザデーベース５と、各種プログラムを記憶する記憶部４とが接続されている。
【００３６】
前記記憶部４の各種プログラムとしては、携帯電話機２０との接続や通信の基本的な制御を制御手段２（コンピュータ）に実行させるためのシステムプログラムの他、携帯電話機２０からの一次抽選プログラムの要求信号を受信するごとに、個別のＩＤデータを割り付けるＩＤデータ割当プログラム、割り付けたＩＤデータごとに個人ファイルをユーザデータベース５に作成する個別ユーザファイル生成プログラム、スポンサデータベース６に記憶された景品種別ごとの在庫データを参照して後述する二次抽選プログラムの確率デーブルを切り替える在庫調整プログラム、前記複数の確率テーブルを含む二次抽選ゲームプログラム、スポンサーデータベース６に用意された複数且つ複数種類景品を狙っての抽選ゲームの内の何れかの抽選ゲームに参加を促し決定させるためのエントリ用画像生成プログラム、二次抽選ゲームプログラムに基づく抽選結果が当選又は非当選の場合に、スポンサーデータベース６を参照して当選した景品やスポンサ情報を組み合わせて当選画像データを生成する当選画像データ生成プログラムなどから構成されている。
【００３７】
前記複数の抽選テーブルとしては、在庫がゼロになった場合に当選がないようにするための非当選確率テーブルを含んでいる。つまり、乱数発生装置としても機能する制御手段２で発生した乱数がいかなる乱数であっても、非当選確率テーブルが設定されている場合には、当選は皆無となる制御を実行するためである、
さらに、前記スポンサーデータベース６には、スポンサーごとに、一次抽選ゲームプログラムと、景品情報（景品の種類、景品の当選可能本数など）、その抽選ゲームプログラムが実行可能なキャンペーンの開始および終了日時データが夫々記憶されている。
【００３８】
前記一次抽選ゲームプログラムには、前記表示手段２２に表示するための通常動画表示データや発展動画表示データが含まれている。
【００３９】
図４乃至図６に基づいて、抽選ゲームにエントリーして抽選ゲームを実行し、景品が当たるまでの一連のゲーム制御フローについて説明する。
【００４０】
サーバ１には、データベース６に複数のスポンサーが夫々用意した景品情報（景品表示データ）、当該景品を当たるため一次抽選ゲームプログラム（宣伝広告のための画像情報を含む）を接続された携帯電話機２０からの遠隔操作で随時ダウンロードできるように接続待機状態を維持している。そして、予め携帯電話機２０のＲＯＭ２５には、前記一次抽選ゲームプログラムを待ち受けゲームとしてセットするために、一次抽選ゲームプログラムを所定のサーバ１に接続してダウンロードを促すための待ちスロメインメニュー起動プログラムが用意されており、この起動プログラムを携帯電話機２０の入力手段２４を使用して起動入力すると、待ちスロ（登録商標　登録第４６６２７０８号）メインメニュが表示手段２２に画像表示され、そのメインメニューに対して実行入力が入力手段２４によってなされると（ステップＳ１：Ｙ）、サーバ１への接続処理が制御手段２１によって実行される（ステップＳ２）。この時、接続されるサーバ１は、ＲＯＭ２５にプレインストールされておいる前記待ちスロメインメニュー起動プログラムに書き込まれたＵＲＬに自動接続される。つまり、携帯電話機２０の使用者が待ち受け状態で起動する前記一次抽選ゲームプログラムをサーバ１からダウンロードするために、サーバ１に基地局１１及びインターネット等の広域回線網１０を介して接続して、前記一次抽選ゲームプログラムのダウンロード要求を行う。
【００４１】
サーバ１の制御手段２が記憶部４に記憶された判定プログラムによって、ダウンロード要求があったことを判定すると（ステップＳ３：Ｙ）、スポンサーデータベース６に記憶された複数種類の一次抽選ゲームプログラムに対応する景品情報やスポンサー情報、キャンペーン期間（日時）情報などからエントリ画像生成プログラムに基づいてエントリー画像データを生成して要求信号を送信してきた携帯電話機２０に対して送信処理を実行する（ステップＳ４）。このように予め携帯電話機２０にエントリ画像データを記憶させていないのは、キャンペーン期間が随時終了することによって、スポンサーデータベースが随時修正されることから、恒久的に使用可能なエントリー画像データを予め用意するのは困難であるといった理由による。勿論、随時エントリ可能な抽選ゲームが常に一つであるとすれば、このようなエントリ画像データを携帯電話機２０向けに生成することなく、携帯電話機２０がサーバ１に接続される度に、自動的に更新された抽選ゲームに対応する一次抽選ゲームプログラムをダンロードさせるようにすることもできる。
【００４２】
次に、前記エントリー画像データを受信したことを携帯電話機２０の制御手段２１がＲＯＭ２５に記憶された判定プログラムによって判定すると（ステップＳ５：Ｙ）、表示手段２２に対して制御手段２１が前記エントリー画像データに基づくエントリー画面表示を実行する（ステップＳ６）。このエントリー画面には、スポンサーデータベース６にその時点で用意されている全ての景品情報やスポンサー情報などが表示される。
【００４３】
このエントリ画面を携帯電話機２０の使用者が視認しつつ、当該使用者が手入力により入力手段２４で複数の抽選ゲームの中から欲しい景品を基に選択入力がなされたことを制御手段２１が判定すると（ステップＳ８：Ｙ）、この選択された抽選ゲームにエントリーするためのエントリーデータ送信処理を制御手段２１が実行する（ステップＳ９）。
【００４４】
ステップＳ９に続いて、サーバ１の制御手段２がエントリー要求信号が携帯電話機２０からあったと判定プログラムにより判定すると（ステップＳ１０）、制御手段２１は前記ＩＤデータ割当プログラムを起動させてＩＤデータを割り付けるとともに、前記個別ファイル生成プログラムに基づいて、ユーザデータベースに割り付けた前記ＩＤデータに関連付けて個別ファイルを生成し、この個別ファイルにどの抽選ゲームを選択したのかを示す情報を記憶する処理を実行する（ステップＳ１１）。
【００４５】
そして、制御手段２は、携帯電話機２０から要求されたエントリーデータに対応する抽選ゲームに参加するための一次抽選ゲームプログラムをデータベース６から抽出した携帯電話機２０へ送信する処理を実行する（ステップＳ１２）。
【００４６】
送信され一次抽選ゲームプログラムとしてのエントリーデータは、制御手段２１の制御によって受信され記憶手段としてのＲＡＭ２６に記憶される（ステップＳ１３）。この処理が終了（ステップＳ１３）すると、サーバ１との接続は自動的に遮断されて通線ゲームに対するエントリー処理を終了するが、ＲＡＭ２６の容量が許容すれば、複数の抽選ゲームプログラムをダウンロードしてエントリ処理を終了しておき，適宜に携帯電話機２０にセットする抽選ゲームを変更するようにしても良い。
【００４７】
この実施の形態では、携帯電話機２０に一次抽選ゲームプログラムがダンロードされると、自動的に待ちスロ（登録商標　登録第４６６２７０８号）としてセットされるように構成されている。そして、他の携帯電話機又は電話機からの着信があり、会話が終わって終話入力がなされると抽選ゲームによる抽選結果が表示手段２２に表示される。
【００４８】
図５を参照して、携帯電話機２０がステップＳ１３でサーバ１との接続状態を解除されると、制御手段２１が携帯電話機２０を着信待機状態に以降させる（ステップＳ１５）。
【００４９】
次に、この待機状態から、他の電話から着信がることを制御手段が判定し（ステップＳ１６）、その着信があった電話との会話が終了したことを制御手段２１が判定すると（ステップＳ１７）、制御手段２１が一次抽選ゲームプログラムに基づいてのゲーム処理を実行する（ステップＳ１８）。このゲーム処理は、一次抽選ゲームプログラムに含まれる抽選テーブルの抽選確率に応じた抽選処理と、表示手段２２に対して一次抽選ゲームプログラムに含まれる通常動画表示データに基づく表示処理とを制御手段２１が実行する処理である。
【００５０】
ステップＳ１８における一次抽選ゲームプログラムに基づいて制御手段２１が実行する抽選処理の結果が、非当選（ハズレ）の場合には（ステップＳ１９：Ｎ）、予め定められた時間の間、前記通常動画表示データに基づいて通常演出画像表示を継続し、前記予め定められた時間を経過した場合（ステップＳ２０：Ｙ）、表示手段２２に対して一次抽選ゲームプログラムに含まれるハズレ画面データに基づいて制御手段がハズレ画面を表示する（ステップＳ２１）。
【００５１】
ステップＳ１９において、内部抽選によって一次当選の場合（ステップＳ１９：Ｙ）には、その一次当選データと、一次抽選ゲームプログラムのダウンロード時にサーバ１から受信したＩＤデータとをひとまとまりのデータとしてサーバ１に送信すべく、予め一次抽選ゲームプログラムに組み込まれたサーバ１のアドレス（例えば、ＵＲＬ）に対して前記自動接続プログラムに基づいて制御手段２１が接続処理を実行する（ステップＳ２２）。
【００５２】
一方、サーバ１は接続待機状態から携帯電話機２０からの一次当選データ及びＩＤデータとを受信したことを前記判定プログラムに基づいて制御手段２が判定すると（ステップＳ２３：Ｙ）、前記在庫調整プログラムに基づいて制御手段２が、ＩＤデータ及び当選データとに基づいて何に複数の抽選ゲームの中のどの抽選ゲームにエントリーしたのかを判定し、その判定した抽選ゲームにおける現時点での景品在庫データを参照して（ステップＳ２４）、その参照した在庫に応じて複数の抽選テーブルから適宜の抽選テーブルを選択する（ステップＳ２５）。
【００５３】
次に、選択された抽選テーブルに基づいて、前記二次抽選ゲームプログラムに基づく制御手段２の制御の基で、乱数発生回路（ハード乱数）から発生させた乱数に応じ前記抽選テーブルにより二次抽選結果（本抽選結果）を演算する処理を実行する（ステップＳ２６）。
【００５４】
本抽選結果が当選の場合には（ステップＳ２７：Ｙ）、スポンサーデータベース６に記憶された当選した景品に関する画像データや、スポンサーのキャンペーンを表す画像データなどから当選画像データを生成処理する（ステップＳ２８）。そして、この生成された当選画像データを一次当選データを送信してきた携帯電話機２０に送信する（ステップＳ２９）。
【００５５】
一方、本抽選結果が非当選（ハズレ）の場合には（ステップＳ２７：Ｎ）、スポンサーデータベース６に記憶された当選した景品に関する画像データや、スポンサーのキャンペーンを表す画像データなどから非当選画像データを生成処理する（ステップＳ３０）。そして、この生成された非当選画像データを一次当選データを送信してきた携帯電話機２０に送信する（ステップＳ３１）。
【００５６】
携帯電話機２０が、前記当選画像データ又は非当選画像データを受信すると、この画像データを受信するとともに、受信した画像データを制御種手段２１がＲＡＭ２６に記憶（格納）する処理を実行する（ステップＳ３２）。
【００５７】
そして、制御手段２１が一次抽選ゲームプログラムに含まれる当選判定プログラムによって非当選であることを判定すると（ステップＳ３４：Ｎ）、前記発展画像表示に連続してハズレ画像表示処理を実行する（ステップＳ３４）。
【００５８】
また、制御手段２１が一次抽選ゲームプログラムに含まれる当選判定プログラムによって非当選であることを判定すると（ステップＳ３４：Ｙ）、前記発展画像表示に連続してハズレ画像表示処理を実行する（ステップＳ３５）。
【００５９】
ステップＳ３５及びステップＳ３４で、当選画像表示又はハズレ（非当選）画像表示がなされるまで、ステップＳ２２で表示処理された発展選出画面表示処理を制御手段２１が実行しつづけており、この発展画面に連続して当選画像表示又はハズレ（非当選）画像表示がなされるようにしている。
【００６０】
非当選画像表示処理が終了すると、携帯電話機２０を着信待機状態に状態変化させる制御を実行する。
【００６１】
当選画像表示処理が終了すると、制御手段２１は、前記当選画像データに含まれる入力フォーム表示データに基づいて入力フォーム表示処理を実行する（ステップＳ３６）。
【００６２】
表示される入力フォームに基づいて、使用者が入力手段２４によって全ての入力を完了したことを制御手段２１が判定プログラムの基づいて判定すると、制御手段２１は、入力データを送信する処理と、送信完了後にサーバ１との接続状態を遮断する処理とを実行する（ステップＳ３８）。
【００６３】
携帯電話機２０から送信された入力データをサーバ１が受信すると、この受信された入力データを対応する個別ファイルに格納する処理を制御手段２が制御プログラムに基づいて実行する（ステップＳ３９）。
【００６４】
そして、このユーザデータベース５の個別ファイルに記憶された入力データに基づいて，制御手段２は当選した景品の発送処理を発送制御プログラムに応じて実行する（ステップＳ４０）。
【００６５】
【発明の効果】
以上説明したこの発明によれば、２つの抽選によってハズレの時は早い時間でハズレである旨を携帯電話機の使用者に報知し、当たりの場合には、在庫を確認しつつ当選させるかどうかの判定ができるようにしたから、必要以上に景品数を用意するなどの景品数に対する抽選による当選数の過不足を生じがたい制御を容易に可能ならしめるといった効果を奏する。
【図面の簡単な説明】
【図１】この発明に係るゲームプログラムを具備する携帯電話機及び当該携帯電話機で実行されるゲーム結果に応じたサービス提供サーバ並びにサービス提供方法を適用したシステム構成図である。
【図２】図１に示す携帯電話機のハードブロック図である。
【図３】図１に示すサーバのハードブロック図である。
【図４】抽選ゲームプログラムに基づく処理の流れを説明するためのフロー図である。
【図５】抽選ゲームプログラムに基づく処理の流れを説明するためのフロー図である。
【図６】抽選ゲームプログラムに基づく処理の流れを説明するためのフロー図である。
【符号の説明】
１　　　　サーバ
６　　　　スポンサーデータベース
１０　　　インターネット網
２０　　　携帯電話機
２２　　　表示手段
２４　　　入力手段
【図１】
2004129213.tif 000003
【図２】
2004129213.tif 000004
【図３】
2004129213.tif 000005
【図４】
2004129213.tif 000006
【図５】
2004129213.tif 000007
【図６】
2004129213.tif 000008